(57)【要約】【課題】  文書フォーマットを生成する安価な情報処理システムを提供することを目的とする。【解決手段】  文書１５０を光学的に読取る読取部１０１と、読取結果を解析して、文字情報及び文書の論理構造に関する構造情報を生成する文字認識部１０４及び構造情報生成部１０５と、文字情報、構造情報及び該文字情報と構造情報とを集約することを要求する集約要求情報を直に送信する送信部１０６と、読取部１０１、文字認識部１０４、構造情報生成部１０５及び送信部１０６と別体であって、文字情報及び構造情報を受信するとともに、これらの情報の受信完了後にアーカイブ要求を受信することにより、所定のフォーマットに則った文書フォーマットを生成する文書情報生成部２０３と、を有することを特徴とする。【選択図】  図２
2008210350.tif 000002
【特許請求の範囲】
【請求項１】
文書を光学的に読取る読取手段と、
読取結果を解析して、文字情報及び前記文書の論理構造に関する構造情報を生成する生成手段と、
前記文字情報、構造情報及び該文字情報と構造情報とを集約することを要求する集約要求情報を直に送信する送信手段と、
前記読取手段、生成手段及び送信手段と別体であって、前記文字情報及び構造情報を受信して記憶するとともに、これらの情報の受信完了後に前記集約要求情報を受信することにより、所定の集約様式に則った文書情報を生成する文書情報生成手段と、
を有することを特徴とする情報処理システム。
【請求項２】
前記生成手段は、前記文字情報及び構造情報に対し、送信先に応じた名称を付与することを特徴とする請求項１に記載の情報処理システム。
【請求項３】
前記生成手段は、前記読取結果に現れる表題、章、節、段落により構造情報を生成することを特徴とする請求項１または２に記載の情報処理システム。
【請求項４】
前記文書に画像が含まれる場合に、前記読取結果から画像の領域を分離して画像情報とする分離手段を備え、
前記送信手段は、前記画像情報に対し、送信先に応じた名称を付与して送信し、
前記文書情報生成手段は、前記画像情報を受信して記憶し、受信完了後に前記画像情報を含む文書情報を生成することを特徴とする請求項１から３のいずれか１項に記載の情報処理システム。
【請求項５】
文書を光学的に読取る読取手段と、
読取結果を解析して、文字情報及び文書の論理構造に関する構造情報を生成する生成手段と、
前記文字情報、構造情報及び該文字情報と構造情報とを集約することを要求する集約要求情報を直に送信する送信手段と、
を有することを特徴とする情報処理装置。
【請求項６】
文書の論理構造に関する構造情報及び該文書の文字情報を受信して記憶手段に記憶するとともに、これらの情報の受信完了後に該文字情報と構造情報とを集約することを要求する集約要求情報を受信することにより、所定の集約様式に則った文書情報を生成する文書情報生成手段を有することを特徴とする情報処理装置。
【請求項７】
コンピュータを、
文書を光学的に読取る読取手段と、
読取結果を解析して、文字情報及び文書の論理構造に関する構造情報を生成する生成手段と、
前記文字情報、構造情報及び該文字情報と構造情報とを集約することを要求する集約要求情報を直に送信する送信手段として機能させることを特徴とする情報処理プログラム。
【請求項８】
コンピュータを、
文書の論理構造に関する構造情報及び該文書の文字情報を受信して記憶手段に記憶するとともに、これらの情報の受信完了後に該文字情報と構造情報とを集約することを要求する集約要求情報を受信することにより、所定の集約様式に則った文書情報を生成する文書情報生成手段として機能させることを特徴とする情報処理プログラム。
【発明の詳細な説明】
【技術分野】
【０００１】
本発明は、情報処理システム、情報処理装置及び情報処理プログラムに関する。
【背景技術】
【０００２】
文字、数字等を表すための文字情報、画像を表すための画像情報及び文書の論理構造に関する構造情報を集約することで、例えばＸＭＬ（eXtensible Markup Language）形式等一つの所定の様式（フォーマット）に則った文書情報を生成することが知られている。例えば、文字情報、画像情報が組み込まれた文書情報が特許文献１の図３や図４に開示されている。
【０００３】
文書情報を生成する場合には、文字情報、画像情報及び構造情報の必要すべてが一度ＨＤ（Hard Disc）や大容量の半導体メモリ等の記憶手段に記憶され、これらの情報が揃った状態で集約される。したがって、文書を読取り、文字情報等を自身で生成するとともに、文書情報をも生成する複合機等の情報処理装置では、このような記憶手段を搭載することが必要となる。
【特許文献１】特開２００５−１６６０３２号公報
【発明の開示】
【発明が解決しようとする課題】
【０００４】
本発明は、文書情報を生成する安価な情報処理システムを提供することを目的とする。
【課題を解決するための手段】
【０００５】
請求項１に記載の発明は、文書を光学的に読取る読取手段と、読取結果を解析して、文字情報及び文書の論理構造に関する構造情報を生成する生成手段と、文字情報、構造情報及び該文字情報と構造情報とを集約することを要求する集約要求情報を直に送信する送信手段と、読取手段、生成手段及び送信手段と別体であって、文字情報及び構造情報を受信して記憶するとともに、これらの情報の受信完了後に集約要求情報を受信することにより、所定の集約様式に則った文書情報を生成する文書情報生成手段と、を有することを特徴とする情報処理システムである。
【０００６】
請求項２に記載の発明は、請求項１に記載の発明において、生成手段が、文字情報に対し、送信先に応じた名称を付与することを特徴とする。
【０００７】
請求項３に記載の発明は、請求項１又は２に記載の発明において、生成手段が、読取結果に現れる表題、章、節、段落により構造情報を生成することを特徴とする。
【０００８】
請求項４に記載の発明は、請求項１から３のいずれか１項に記載の発明において、文書に画像が含まれる場合に、読取結果から画像の領域を分離して画像情報とする分離手段を備え、送信手段が、画像情報に対し、送信先に応じた名称を付与して送信し、文書情報生成手段が、画像情報を受信して記憶し、受信完了後に、画像情報を含む文書情報を生成することを特徴とする。
【０００９】
請求項５に記載の発明は、文書を光学的に読取る読取手段と、読取結果を解析して、文字情報及び文書の論理構造に関する構造情報を生成する生成手段と、文字情報、構造情報及び該文字情報と構造情報とを集約することを要求する集約要求情報を直に送信する送信手段と、を有することを特徴とする情報処理装置である。
【００１０】
請求項６に記載の発明は、文書の論理構造に関する構造情報及び該文書の文字情報を受信して記憶手段にするとともに、これらの情報の受信完了後に該文字情報と構造情報とを集約することを要求する集約要求情報を受信することにより、所定の集約様式に則った文書情報を生成する文書情報生成手段を有することを特徴とする情報処理装置である。
【００１１】
請求項７に記載の発明は、コンピュータを、文書を光学的に読取る読取手段と、読取結果を解析して、文字情報及び文書の論理構造に関する構造情報を生成する生成手段と、文字情報、構造情報及び該文字情報と構造情報とを集約することを要求する集約要求情報を直に送信する送信手段として機能させることを特徴とする情報処理プログラムである。
【００１２】
請求項８に記載の発明は、コンピュータを、文書の論理構造に関する構造情報及び該文書の文字情報を受信して記憶手段にするとともに、これらの情報の受信完了後に該文字情報と構造情報とを集約することを要求する集約要求情報を受信することにより、所定の集約様式に則った文書情報を生成する文書情報生成手段として機能させることを特徴とする情報処理プログラムである。
【発明の効果】
【００１３】
請求項１に係る発明によれば、文書情報生成手段を別体とすることで共有化が図れ、安価な情報処理システムの提供が可能となる。
【００１４】
請求項２に係る発明によれば、文書情報生成手段への文字情報等の誤送信を抑制することが可能となる。
【００１５】
請求項３に係る発明によれば、文書の表題、章、節、段落に基づいて、構造情報を生成することができる。
【００１６】
請求項４に係る発明によれば、画像情報を分離して送信するので、分離しない場合に比べて情報量が低減され、ネットワークの輻輳を抑制することが可能となる。
【００１７】
請求項５に係る発明によれば、文字情報及び構造情報を直に送信する、記憶手段を設けない安価な情報処理装置の提供が可能となる。
【００１８】
請求項６に係る発明によれば、文字情報及び構造情報に基づいて文書情報を生成する安価な情報処理装置の提供が可能となる。
【００１９】
請求項７に係る発明によれば、文字情報及び構造情報を直に送信する、記憶手段を設けない安価な情報処理装置の提供が可能となる。
【００２０】
請求項８に係る発明によれば、文字情報及び構造情報に基づいて文書情報を生成する安価な情報処理装置の提供が可能となる。
【発明を実施するための最良の形態】
【００２１】
以下、本発明の実施形態について、図面を参照して具体的に説明する。
図１は本発明の実施形態に係る情報処理システムの構成図である。情報処理システムは、図１に示すように、複合機１００、文書フォーマット生成サーバ２００等から構成されている。複合機１００、文書フォーマットサーバ２００等は、ケーブルやネットワーク機器等で構成されるネットワーク３００を介して互いに接続される。尚、ネットワーク２００は、例えば、無線通信等によって通信されるようにしてもよい。また、図１においては、複数台の複合機１００が記載されているが、一台であってもよく、文書フォーマット生成サーバ２００は一台で記載されているが、複数台であってもよい。
【００２２】
複合機１００は、本発明の情報処理装置の一例であって、例えば印刷機能、複写機能、ファクシミリ機能、スキャナ機能、文字情報（以下、ページ情報という。）、画像情報や電子メール等の送受信機能、ノイズ除去機能、ＯＣＲ(Optical Character Reader)機能等を少なくとも１つ備える一方で、望ましくは記憶手段を備えない機器である。これらの機能は、利用者からの操作に応じて機能する。尚、ＯＣＲ機能とは、光学的に文字を読取る処理をいう。
【００２３】
文書フォーマット生成サーバ２００は、複合機１００からの指示に応じて、ページ情報、画像情報等から文書情報（以下、文書フォーマットという。）を生成する。例えば、複合機１００がスキャナ機能を使用して読取った文書等をページ情報、画像情報等として文書フォーマット生成サーバ２００に送信し、文書フォーマット生成サーバ２００は、受信したこれらの情報に応じて文書フォーマットを生成する。
【００２４】
さらに上述した複合機１００及び文書フォーマット生成サーバ２００について図２から図８を参照して説明する。
図２は本発明の実施形態に係る複合機１００及び文書フォーマット生成サーバ２００の要部構成を示す機能ブロック図、図３は文書１５０の一例、図４は画像領域ＡＲＩ及び画像情報１０の一例、図５は文字認識の様子を説明するための図、図６はページ情報２０ａ〜２０ｄの一例、図７は構造情報３０の一例、図８は文書フォーマット４０の一例である。
【００２５】
尚、図２において説明する各機能ブロックは、ＣＰＵ（Central Processing Unit）等の処理装置、ＤＲＡＭ(Dynamic Random Access Memory)、ＳＲＡＭ（Static RAM）、ＲＯＭ(Read Only Memory)等の半導体記憶装置、ＨＤ（Hard Disc）等の磁気ディスク及び所要のソフトウェアによりそれぞれ実現される。
【００２６】
複合機１００は、図２に示すように、操作部１０１、読取部１０２、分離部１０３、文字認識部１０４、構造情勢生成部１０５、送信部１０６等から構成される。
【００２７】
操作部１０１は、例えば液晶ディスプレイやスピーカ等で構成される。当該液晶ディスプレイは例えばタッチパネル方式で構成され、画像処理に関する操作内容が表示される。操作内容が利用者によって押下されると、その指示に応じて読取部１０２等が各機能を動作する。また、各機能に応じた動作が終了した場合には、その旨が液晶ディスプレイに表示されるとともに、その旨を報知する報知音を出力する。尚、画像処理に関する操作は、液晶ディスプレイに対するタッチパネル方式に限らず、タブレット方式や、複合機１００に組み込まれる操作機構に対する押下などであってもよい。
【００２８】
読取部１０２は、本発明の読取手段の一例であって、レンズ、リニアＣＣＤ（Charge Coupled Device）、ランプ等を搭載したキャリッジで構成される。操作部１０１からの指示に応じて、当該キャリッジが移動し、複合機１００にセットされた文書１５０の印刷内容を光学的に読取る。文書１５０には、例えば図２や図３に示すように、印刷内容の一例として文字及び画像が印刷されている。読取部１０２が文書１５０を読取り終えると、読取結果が分離部１０３に送信される。尚、文書１５０が複数枚で構成される場合には、そのすべてを読取り終えてから、読取結果が分離部１０３に送信される。その際、読取結果は、１頁毎に生成されても、複数頁がまとめられて１つの読取結果とされるようにしてもよい。
【００２９】
分離部１０３は、本発明の分離手段の一例であって、読取部１０２の読取結果を解析する。すなわち、当該解析は、例えば図３に示すように、文字認識が可能なページ領域ＡＲＰと文字認識が不可能な画像領域ＡＲＩの配置関係を１頁毎に認識することで行われる。そして、解析結果に応じて、ページ領域ＡＲＰと画像領域ＡＲＩとを分離する。解析は、例えば、読取結果の水平・垂直方向への過疎を投影し、投影パターン上での空白を検出することで行われる。分離された画像領域ＡＲＩは例えば図４に示すような画像情報１０となり、送信部１０６から送信される。尚、画像情報を送信する際には、圧縮して送信することが望ましい。また、画像情報の送信先に応じた名称が付与されるようにしてもよい。例えば、文書フォーマット生成サーバ２００の名称が「server1」である場合に、画像情報１０のファイル名は図４に示すように「imgfile1_server1.img」となり、画像情報１０の誤送信の抑制される。一方、ページ領域ＡＲＰは文字認識部１０４及び構造情報生成部１０５に送信される。尚、読取結果に画像領域が含まれていない場合、すなわち、文字認識可能なページ領域ＡＲＰのみで構成されている場合には、画像領域ＡＲＩの分離を機能しないようにしてもよい。
【００３０】
文字認識部１０４は、ページ領域ＡＲＰにある文字を認識してページ情報とする。文字の認識は、図３に示す文書１５０の節「１」に印刷される「明」に対し、例えば図５に示すように、文字のへん・つくり間の距離Ａを算出したり、図３に示す文書１５０の節「１」に印刷される「自」と「然」に対し、文字間の距離Ｂを算出したり、図３に示す文書１５０の節「２」に印刷される「特」と「い」に対し、行間の距離Ｃを算出したり、図３に示す文書１５０の章「３」に印刷される「法」と節「１」に印刷される「は」に対し、段・ブロック間の距離Ｄを算出したり、その他インデントを算出したりする等、読取結果１５０ａ上の規則に基づいて文字を認識する。特に、文字の認識は、へん・つくりの形状と、あらかじめテンプレートと呼ばれる、文字のパターンを画素単位で表現して用意したものとを重ね合わせて一致するか否かで判断する。この結果、例えば図６に示すようなページ情報２０ａ〜２０ｄが生成されることとなる。尚、当該一致は、完全一致である必要はなく、文字として認識可能な程度に一致していればよい。また、ページ情報が生成される際には、上述した画像情報１０の生成と同様に、送信先に応じた名称を付与することが望ましい。例えば、文書フォーマット生成サーバ２００の名称が「server1」である場合に、ページ情報２０ａ等のファイル名は図６に示すように「docfile1_server1.doc」等となり、ページ情報２０ａ等の誤送信の抑制される。
【００３１】
構造情報生成部１０５は、ページ領域ＡＲＰとページ情報２０ａ〜２０ｄとから文書の論理的な構造情報を生成する。より詳しくは、構造情報は、例えば、文書中の表題（タイトル）、章、節などの文書の階層的な構造を利用して生成され、例えば、構造中の行（文字）の大きさ、行の間隔、インデント等により文書の構造情報が生成される。この結果、図７に示すような構造情報３０がページ毎に生成される。構造情報３０は、図７に示すように、<SecTitle>と</SecTitle>との間に囲まれる部分がページ情報３０ａ（docfile1_server1.doc）を組み込むべき箇所を示しており、<Paragraph>と</Paragraph>との間に囲まれる部分がページ情報３０b（docfile2_server1.doc）等を組み込むべき箇所を示しており、<Figure>と</Figure>との間に囲まれる部分が画像情報１０（imgfile1_server1.img）を組み込むべき箇所を示している。尚、画像情報１０は、ＵＲＬ（Uniform Resource Locator）等によって相対的な指定とするようにしてもよい。このように、構造情報３０に基づき、ページ情報２０ａ〜２０ｄ等を節ごとに組合せることで一つの章が生成される。したがって、文書の論理構造を判断し、構造情報を生成することで、ページ情報や画像情報等が分離されることとなっても、これらの情報が構造情報に基づき関連付けられることとなる。尚、文字認識部１０４及び構造情報生成部１０５によって、本発明の生成手段の一例となる。また、構造情報３０に対しても、上述したような、送信先に応じた名称を付与することが望ましい。
【００３２】
送信部１０６は、本発明の送信手段の一例であって、例えばモデム、ターミナルアダプタ、デジタル信号を光信号に変換する手段等で構成され、画像情報１０、ページ情報２０ａ〜２０ｄ及び構造情報３０等を文書フォーマット生成サーバ２００へ直に送信したり、文書フォーマット生成サーバ２００からの制御情報等を受信したりする。尚、送信処理においては、ＳＳＬ（Secure Socket Layer）やＳ／ＭＩＭＥ（Secure Multipurpose Internet Mail Extensions）等の暗号化手段により情報を暗号化して送受信したり、これらの情報を圧縮したりすることが望ましい。
【００３３】
文書フォーマット生成サーバ２００は、図２に示すように、受信部２０１、記憶部２０２、文書情報生成部２０３等から構成される。
【００３４】
受信部２０１は、例えばモデム、ターミナルアダプタ、光信号をデジタル信号に変換する手段等で構成され、複合機１００から送信される画像情報１０、ページ情報２０ａ〜２０ｄ及び構造情報３０等を受信する。また、これらの情報が暗号化されている場合には、適宜、復号化したり、圧縮されている場合には解凍したりする手段を設けるようにしてもよい。
【００３５】
記憶部２０２は、本発明の記憶手段の一例であって、受信部２０１が受信した画像情報１０、ページ情報２０ａ〜２０ｄ及び構造情報３０等を記憶する。画像情報１０、文字情報２０ａ〜２０ｄ及び構造情報３０等は、文書情報生成部２０３からの集約要求情報（以下、アーカイブ要求という。）があるまで記憶される。したがって、複合機１００からページ情報２０ａ等が送信され続ける限り、記憶部２０２にページ情報２０ａ等が蓄積されていくこととなる。
【００３６】
文書情報生成部２０３は、本発明の文書情報生成手段の一例であって、アーカイブ要求を複合機１００から受信することにより、記憶部２０２に記憶されるページ情報２０ａや構造情報３０等に対して、集約（以下、アーカイブという。）を行い、所定のフォーマットに則った文書フォーマットを生成する。所定のフォーマットには、例えば、ＸＭＬやＸＰＳ（XML Paper Specification）等がある。この結果、例えば図８に示すように、所定の様式に則った文書フォーマット４０が生成される。すなわち、文書フォーマット４０は、画像情報１０、ページ情報２０ａ〜２０ｄ及び構造情報３０をアーカイブすることで生成される。尚、アーカイブ要求とは、記憶部２０２に記憶されるページ情報２０ａ〜２０ｄ等を構造情報３０に基づきアーカイブさせるための情報をいう。アーカイブ要求に従ってアーカイブさせるためには、そのアーカイブ要求に従って動作する命令プログラム（コマンド）を文書フォーマット生成サーバ２００に予め用意しておく必要がある。例えば、ＸＭＬ形式にアーカイブするには、ＸＭＬ形式の文書フォーマットを生成するためのコマンドが必要となる。尚、命令プログラムを動作させる手段としては、例えばＲＰＣ（Remote Procedure Call）やＣＧＩ(Common Gateway Interface)等があるが、その手段は特に限定されるものではない。
【００３７】
続いて、複合機１００の動作について図９を参照して説明する。
図３は複合機１００における読取処理から送信処理の一例を示すフローチャートである。
複合機１００は、まず、利用者からの読取指示があるまで待機する（ステップＳ１）。複合機１００は、読取指示を検知すると、複合機１００にセットされた文書１５０に対する読取処理を開始する（ステップＳ２）。これにより、複合機１００は文書１５０の印刷内容を保持することとなる。
【００３８】
ここで、複合機１００は、文書１５０の読取結果１５０ａに画像が含まれているか否かを判断する（ステップＳ３）。複合機１００が、読取結果１５０ａに画像が含まれていると判断した場合には、読取結果１５０ａのうち、画像領域ＡＲＩに該当する部分をページ領域ＡＲＰから分離し、画像情報１０として文書フォーマット生成サーバ２００へ送信する（ステップＳ４）。尚、複合機１００が、読取結果１５０ａに画像が含まれていないと判断した場合には、ステップＳ４の処理を行わない。
【００３９】
複合機１００は、次いで、ページ領域ＡＲＰに対し解析処理を行う（ステップＳ５）。ここで、解析処理とは、上述したような、ページ領域ＡＲＰに対する文字認識処理、構造情報生成処理等をいう。解析処理を終えると、解析結果となるページ情報や構造情報等を文書フォーマット生成サーバ２００へ送信する（ステップＳ６）。さらに、複合機１００は、必要すべてのページ情報等の送信が完了したことを検知すると、アーカイブ要求を送信する（ステップＳ７）。
【００４０】
続いて、文書フォーマット生成処理２００の動作について図１０を参照して説明する。
図１０は文書フォーマット生成サーバ２００における文書フォーマット生成処理の一例を示すフローチャートである。
文書フォーマット生成サーバ２００は、複合機１００から画像情報１０、ページ情報２０ａ〜２０ｄ及び構造情報３０等を受信するまで待機する（ステップＳ１１）。そして、ページ情報２０ａ等を受信すると、これらを記憶する（ステップＳ１２）。
【００４１】
ここで、文書フォーマット生成サーバ２００は、複合機１００からアーカイブ要求を受信したか否かを判断する（ステップＳ１３）。文書フォーマット生成サーバ２００は、アーカイブ要求を受信していないと判断した場合には、受信するページ情報等を記憶し続ける。一方、文書フォーマット生成サーバ２００が、アーカイブ要求を受信したと判断した場合には、画像情報１０、ページ情報２０ａ〜２０ｄ、構造情報３０等をアーカイブし、文書フォーマット４０を生成する（ステップＳ１４）。文書フォーマット生成サーバ２００は、生成した文書フォーマット４０を自身の記憶手段に保持していてもよく、また、他の記憶手段に転送するようにしてもよい。
【００４２】
尚、本発明は、上述した実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。また、文書の材質は紙だけに限られず、プラスチックや金属等であってもよい。また、上述した実施形態において、文字認識や構造情報の生成は、上述した以外にも公知の技術によって実現可能である。また、情報の送受信は上述したものに限られない。
【産業上の利用可能性】
【００４３】
以上説明したように、本発明によれば、文書フォーマットを生成する手段を、複合機から分離して別体とすることで、個々の複合機が大容量の記憶手段を要せず、低廉化が図れるとともに、文書フォーマットを生成する手段を複数の複合機で共有化することで、安価なシステムを提供でき、産業上の利用可能性が高い。
【図面の簡単な説明】
【００４４】
【図１】情報処理システムの構成図である。
【図２】複合機及び文書情報群生成サーバの要部構成を示す機能ブロック図である。
【図３】文書の一例である。
【図４】画像領域及び画像情報の一例である。
【図５】文字認識の様子を説明するための図である。
【図６】ページ情報の一例である。
【図７】構造情報の一例である。
【図８】文書フォーマットの一例である。
【図９】複合機における読取処理から送信処理の一例を示すフローチャートである。
【図１０】文書情報群生成サーバにおける文書情報群生成処理の一例を示すフローチャートである。
【符号の説明】
【００４５】
１０  画像情報
２０ａ〜２０ｄ  ページ情報
３０  構造情報
１００  複合機
１０１  操作部
１０２  読取部
１０３  分離部
１０４  文字認識部
１０５  構造情報生成部
１０６  送信部
１５０  文書
１５０ａ  読取結果
２００  文書フォーマット生成サーバ
２０１  受信部
２０２  記憶部
２０３  文書情報生成部
ＡＲＰ  ページ領域
ＡＲＩ  画像領域
【図１】
2008210350.tif 000003
【図２】
2008210350.tif 000004
【図３】
2008210350.tif 000005
【図４】
2008210350.tif 000006
【図５】
2008210350.tif 000007
【図６】
2008210350.tif 000008
【図７】
2008210350.tif 000009
【図８】
2008210350.tif 000010
【図９】
2008210350.tif 000011
【図１０】
2008210350.tif 000012